(57)【要約】  送信機と第１および第２の受信機と回転プラットフォームとを含み得るＬＩＤＡＲ装置が本明細書に記載される。送信機は垂直方向のビーム幅を有する光を発するように構成され得る。第１の受信機は第１のＦＯＶで環境を走査しながら第１の分解能で光を検出するように構成され得、第２の受信機は第２のＦＯＶで環境を走査しながら第２の分解能で光を検出するように構成され得る。この構成において、第１の分解能は第２の分解能よりも高い場合があり、第１のＦＯＶは少なくとも部分的に第２のＦＯＶと異なる場合があり、垂直方向のビーム幅は少なくとも第１および第２のＦＯＶの垂直方向の範囲を含み得る。さらに、回転プラットフォームは、送信機および第１および第２の受信機がそれぞれその回転に基づいて移動するように、軸を中心に回転するように構成され得る。【選択図】図２Ｃ
2019536008.tif 000002
【特許請求の範囲】
【請求項１】
垂直方向のビーム幅を有する光を環境内に発するように構成された送信機であって、前記放射光はある波長範囲内の波長を有する、送信機と、
第１の視野（ＦＯＶ）で前記環境を走査しながら第１の分解能で光を検出するように構成され、および前記波長範囲内の波長を有する光を検出するように構成された第１の受信機と、
第２のＦＯＶで前記環境を走査しながら第２の分解能で光を検出するように構成され、および前記波長範囲内の波長を有する光を検出するように構成された第２の受信機であって、前記第１の分解能は前記第２の分解能よりも高く、前記第１のＦＯＶは前記第２のＦＯＶと少なくとも部分的に異なり、前記垂直方向のビーム幅は少なくとも前記第１および第２のＦＯＶの垂直方向の範囲を含む、第２の受信機と、
軸を中心に回転するように構成された回転プラットフォームであって、前記送信機、前記第１の受信機、および前記第２の受信機は、前記回転プラットフォームの回転に基づいて前記環境に対してそれぞれ移動するようにそれぞれ構成された、回転プラットフォームと
を備えた光検出測距（ＬＩＤＡＲ）装置。
【請求項２】
光を発するように構成された前記送信機が、前記垂直方向のビーム幅を有しかつ水平方向のビーム幅を有するレーザビームを発するように構成された前記送信機を含み、前記水平方向のビーム幅は前記垂直方向のビーム幅よりも小さい、請求項１に記載のＬＩＤＡＲ装置。
【請求項３】
乗り物の上面に結合されるように構成された静止プラットフォームをさらに備え、前記上面は前記乗り物の１つまたは複数の車輪が位置付けられる底面の反対側である、請求項１に記載のＬＩＤＡＲ装置。
【請求項４】
前記静止プラットフォームが前記乗り物の前記上面に結合されるとき、（ｉ）前記第１の受信機は前記乗り物の前記上面を基準として実質的に前記静止プラットフォームより上に位置付けられ、（ｉｉ）前記第２の受信機および前記送信機の両方は前記乗り物の前記上面を基準として実質的に前記第１の送信機より上に位置付けられ、および（ｉｉｉ）前記第２の受信機は前記乗り物の前記上面を基準として実質的に前記送信機に隣接して位置付けられる、請求項３に記載のＬＩＤＡＲ装置。
【請求項５】
前記静止プラットフォームが回転リンクを介して前記回転プラットフォームに結合され、軸を中心に回転するように構成された前記回転プラットフォームは、前記静止プラットフォームが前記乗り物の前記上面に結合されるとき、前記乗り物の前記上面に実質的に垂直な垂直軸を中心に回転するように構成された前記回転プラットフォームを備える、請求項３に記載のＬＩＤＡＲ装置。
【請求項６】
前記静止プラットフォームが前記乗り物の前記上面に結合されるとき、前記第１のＦＯＶは前記乗り物を基準として前記環境の第１の部分まで広がり、前記第２のＦＯＶは前記乗り物を基準として前記環境の第２の部分まで広がり、前記環境の前記第２の部分は前記環境の前記第１の部分と比較して前記乗り物に実質的により近い、請求項３に記載のＬＩＤＡＲ装置。
【請求項７】
前記第１の受信機が、
検出した光を電気信号に変換するようにそれぞれ構成された２つ以上の光検出器を含む光検出器アレイと、
前記環境からの光を光路に沿って前記光検出器アレイに集束するように配置された少なくとも１つの光学レンズと、
前記少なくとも１つの光学レンズと前記光検出器アレイとの間の前記光路を折り曲げるように配置された少なくとも１つのミラーと
を備える、請求項１に記載のＬＩＤＡＲ装置。
【請求項８】
前記光路を折り曲げるように配置された前記少なくとも１つのミラーが、前記光路を前記少なくとも１つの光学レンズと前記光検出器アレイとの間で２回以上折り曲げるように配置された２つ以上のミラーを備える、請求項７に記載のＬＩＤＡＲ装置。
【請求項９】
前記第１の分解能が第１の角度分解能であり、前記第２の分解能が第２の角度分解能である、請求項１に記載のＬＩＤＡＲ装置。
【請求項１０】
前記回転プラットフォームに結合されたドーム型ハウジングをさらに備え、前記ドーム型ハウジングは前記回転プラットフォームの回転に基づいて前記軸を中心に回転するように構成され、前記送信機、前記第１の受信機、および前記第２の受信機は前記ドーム型ハウジング内に配置される、請求項１に記載のＬＩＤＡＲ装置。
【請求項１１】
前記ドーム型ハウジングがその上に形成された開口部を有し、
前記環境に光を発するように構成された前記送信機が、前記開口部を介して前記環境に光を発するように構成された前記送信機を備え、
光を検出するように構成された前記第１の受信機が、前記開口部を介して前記環境から前記ドーム型ハウジングに入る光を検出するように構成された前記第１の受信機を備え、
光を検出するように構成された前記第２の受信機が、前記開口部を介して前記環境から前記ドーム型ハウジングに入る光を検出するように構成された前記第２の受信機を備える、
請求項１０に記載のＬＩＤＡＲ装置。
【請求項１２】
前記ドーム型ハウジングが少なくとも部分的に非透明材料から構成される、請求項１０に記載のＬＩＤＡＲ装置。
【請求項１３】
光を生成するように構成された光源をさらに備え、前記環境に光を発するように構成された前記送信機は、光を光路に沿って前記光源から前記環境へ方向付ける光学的構成を有する前記送信機を備える、請求項１に記載のＬＩＤＡＲ装置。
【請求項１４】
前記光学的構成が、前記光路を提供するように構成された光ファイバと、前記方向付けられた光を広げるように構成された拡散器とを備える、請求項１３に記載のＬＩＤＡＲ装置。
【請求項１５】
前記光源がファイバレーザである、請求項１３に記載のＬＩＤＡＲ装置。
【請求項１６】
前記ファイバレーザが、前記回転プラットフォームと前記第１の受信機との間に配置された光増幅器を備える、請求項１５に記載のＬＩＤＡＲ装置。
【請求項１７】
乗り物であって、
前記乗り物の底面に位置付けられた１つまたは複数の車輪と、
前記底面と反対側の前記乗り物の上面に位置付けられた光検出測距（ＬＩＤＡＲ）装置であって、送信機と第１および第２の受信機とを備え、前記送信機は、垂直方向のビーム幅を有する光を前記乗り物の周囲の環境に発するように構成され、前記放射光はある波長範囲内の波長を有し、前記第１の受信機は、第１の視野（ＦＯＶ）で前記環境を走査しながら第１の分解能で光を検出するように構成され、前記検出された光は前記波長範囲内の波長を有し、前記第２の受信機は、第２のＦＯＶで前記環境を走査しながら第２の分解能で光を検出するように構成され、前記検出された光は前記波長範囲内の波長を有し、前記第１の分解能は前記第２の分解能よりも高く、前記第１のＦＯＶは前記第２のＦＯＶと少なくとも部分的に異なり、前記垂直方向のビーム幅は少なくとも前記第１および第２のＦＯＶの垂直方向の範囲を含む、光検出測距（ＬＩＤＡＲ）装置と、
前記ＬＩＤＡＲ装置の前記第１および第２の受信機による前記環境の走査に少なくとも基づいて前記乗り物を操作するように構成されたコントローラと
を備えた乗り物。
【請求項１８】
前記ＬＩＤＡＲ装置が、前記乗り物の前記上面に対して実質的に垂直な垂直軸を中心に回転するように構成された回転プラットフォームをさらに備え、前記送信機、前記第１の受信機および前記第２の受信機は、前記回転プラットフォームの回転に基づいて前記環境に対してそれぞれ移動するようにそれぞれ構成される、請求項１７に記載の乗り物。
【請求項１９】
送信機と第１および第２の受信機とを備えた光検出測距（ＬＩＤＡＲ）装置からコントローラによって、乗り物の周囲の環境の走査を受信することであって、前記送信機は垂直方向のビーム幅を有する光を前記環境に発するように構成され、前記放射光はある波長範囲内の波長を有し、前記第１の受信機は、第１の視野（ＦＯＶ）で前記環境を走査しながら第１の分解能で光を検出するように構成され、前記検出された光は前記波長範囲内の波長を有し、前記第２の受信機は、第２のＦＯＶで前記環境を走査しながら第２の分解能で光を検出するように構成され、前記検出された光は前記波長範囲内の波長を有し、前記第１の分解能は前記第２の分解能よりも高く、前記第１のＦＯＶは前記第２のＦＯＶと少なくとも部分的に異なり、前記垂直方向のビーム幅は、少なくとも前記第１および第２のＦＯＶの垂直方向の範囲を含む、受信すること、および
前記ＬＩＤＡＲ装置から受信した前記環境の前記走査に少なくとも基づいて、前記コントローラによって前記乗り物を操作すること
を含む方法。
【請求項２０】
請求項１９に記載の方法であって、前記ＬＩＤＡＲ装置は、前記乗り物の１つまたは複数の車輪が位置付けられる底面の反対側である前記乗り物の上面に位置付けられ、前記ＬＩＤＡＲ装置は、前記乗り物の前記上面に対して実質的に垂直な垂直軸を中心に回転するように構成された回転プラットフォームをさらに備え、前記送信機、前記第１の受信機および前記第２の受信機は、前記回転プラットフォームの回転に基づいて前記環境に対してそれぞれ移動するようにそれぞれ構成され、アクチュエータが前記回転プラットフォームに結合され、前記方法が、
前記乗り物の周囲の前記環境の前記走査を受信する間、前記コントローラによって、前記垂直軸を中心に前記回転プラットフォームを回転させるように前記アクチュエータに指示することをさらに含む、方法。
【発明の詳細な説明】
【技術分野】
【０００１】
関連出願の相互参照
［0001］  本出願は、２０１６年１０月１７日に出願され、「複数の受信機を有する光検出測距（ＬＩＤＡＲ）装置」と題された米国特許出願第１５／２９５，６１９号に付与された優先権を主張する。前出の特許出願は参照により完全な形でここに組み込まれる。
【背景技術】
【０００２】
［0002］  乗り物は、運転者からの入力がほとんどまたは全くない状態で乗り物が環境を通行する自律モードで動作するように構成することができる。そのような自律型乗り物は、乗り物が動作する環境に関する情報を検出するように構成されている１つまたは複数のセンサを含むことができる。そのようなセンサの１つは、光検出測距（ＬＩＤＡＲ：ｌｉｇｈｔ  ｄｅｔｅｃｔｉｏｎ  ａｎｄ  ｒａｎｇｉｎｇ）装置である。
【０００３】
［0003］  ＬＩＤＡＲ装置は、環境内の反射面を示す「点群」を組み立てるためにある光景を走査する間に環境的特徴までの距離を推定することができる。点群内の個々の点は、レーザパルスを送信し、環境内の物体から反射された戻りパルスがある場合はそれを検出し、送信パルスと反射パルスの受信との間の時間遅延に従って物体までの距離を決定することによって決定できる。
【０００４】
［0004］  この構成では、ＬＩＤＡＲ装置は、光景内の反射物体までの距離に関する連続的なリアルタイム情報を提供するために光景全体にわたって迅速かつ繰り返し走査することができるレーザまたはレーザのセットを含むことができる。各距離を測定しながら測定された距離とレーザの向きとを組み合わせることにより、３次元位置を各戻りパルスと関連付けることが可能になる。このようにして、環境内の反射特徴物の位置を示す点の三次元マップを走査ゾーン全体について生成することができる。
【発明の概要】
【０００５】
［0005］  実装形態の例は、少なくとも送信機と、第１および第２の受信機と、回転プラットフォームとを含むＬＩＤＡＲ装置に関連し得る。送信機は、垂直方向のビーム幅を有しかつある波長範囲内の波長を有する光を環境に発するように構成されてもよく、第１および第２の受信機はそれぞれ、その波長範囲内の波長を有する光をそれぞれ検出するように構成されてもよい。回転プラットフォームは、送信機、第１の受信機、および第２の受信機がそれぞれ回転プラットフォームの回転に基づいて環境に対してそれぞれ移動するように、軸を中心に回転するように構成されてもよい。
【０００６】
［0006］  本開示によれば、第１および第２の受信機は、互いに異なる分解能で、および／または互いに異なる視野（ＦＯＶ）で、環境を走査するように構成されてもよい。いくつかの例では、第１の受信機は、第１の視野（ＦＯＶ）で環境を走査しながら第１の分解能で光を検出するように構成されてもよく、第２の受信機は第２の異なるＦＯＶで環境を走査しながら第２の異なる分解能で光を検出するように構成されてもよい。さらに、ＬＩＤＡＲ装置は、放射光の垂直方向のビーム幅が少なくとも第１および第２のＦＯＶの垂直方向の範囲を含むように構成することができる。
【０００７】
［0007］  開示されたＬＩＤＡＲ装置は、様々な構成で様々な目的に使用することができる。例えば、開示されたＬＩＤＡＲ装置は、乗り物の１つまたは複数の車輪が位置付けられている底面とは反対側の乗り物の上面に位置付けられてもよい。この構成では、コントローラは、少なくともＬＩＤＡＲ装置から受信した環境の走査に基づいて乗り物を操作し得る。他の例も可能である。
【０００８】
［0008］  一態様において、ＬＩＤＡＲ装置が提供される。ＬＩＤＡＲ装置は送信機を含むことができ、送信機は垂直方向のビーム幅を有する光を環境内に発するように構成され、放射光はある波長範囲内の波長を有する。ＬＩＤＡＲ装置はまた、第１の受信機を含むことができ、第１の受信機は第１のＦＯＶで環境を走査しながら第１の分解能で光を検出するように構成され、および第１の受信機は前記波長範囲内の波長を有する光を検出するように構成される。ＬＩＤＡＲ装置はさらに第２の受信機を含むことができ、第２の受信機は第２のＦＯＶで環境を走査しながら第２の分解能で光を検出するように構成され、および第２の受信機は前記波長範囲内の波長を有する光を検出するように構成され、第１の分解能は第２の分解能よりも高く、第１のＦＯＶは第２のＦＯＶと少なくとも部分的に異なり、垂直方向のビーム幅は少なくとも第１および第２のＦＯＶの垂直方向の範囲を含む。ＬＩＤＡＲ装置は、回転プラットフォームをさらに含むことができ、回転プラットフォームは、軸を中心に回転するように構成され、送信機、第１の受信機、および第２の受信機は、回転プラットフォームの回転に基づいて環境に対してそれぞれ移動するようにそれぞれ構成される。
【０００９】
［0009］  他の態様において、乗り物が提供される。乗り物は、乗り物の底面に位置付けられた１つまたは複数の車輪と、底面と反対側の乗り物の上面に位置付けられたＬＩＤＡＲ装置とを含むことができる。ＬＩＤＡＲ装置は、送信機と第１および第２の受信機とを含むことができ、送信機は、垂直方向のビーム幅を有する光を乗り物の周囲の環境に発するように構成され、放射光はある波長範囲内の波長を有し、第１の受信機は、第１のＦＯＶで環境を走査しながら第１の分解能で光を検出するように構成され、検出された光は前記波長範囲内の波長を有し、第２の受信機は、第２のＦＯＶで環境を走査しながら第２の分解能で光を検出するように構成され、検出された光は前記波長範囲内の波長を有し、第１の分解能は第２の分解能よりも高く、第１のＦＯＶは第２のＦＯＶと少なくとも部分的に異なり、垂直方向のビーム幅は少なくとも第１および第２のＦＯＶの垂直方向の範囲を含む。さらに、乗り物は、ＬＩＤＡＲ装置の第１および第２の受信機による環境の走査に少なくとも基づいて乗り物を操作するように構成されたコントローラを含むことができる。
【００１０】
［0010］  さらに別の態様において、方法が提供される。方法は、送信機と第１および第２の受信機とを含むＬＩＤＡＲ装置からコントローラによって、乗り物の周囲の環境の走査を受信することを含むことができ、送信機は垂直方向のビーム幅を有する光を環境に発するように構成され、放射光はある波長範囲内の波長を有し、第１の受信機は、第１のＦＯＶで環境を走査しながら第１の分解能で光を検出するように構成され、検出された光は前記波長範囲内の波長を有し、第２の受信機は、第２のＦＯＶで環境を走査しながら第２の分解能で光を検出するように構成され、検出された光は前記波長範囲内の波長を有し、第１の分解能は第２の分解能よりも高く、第１のＦＯＶは第２のＦＯＶと少なくとも部分的に異なり、垂直方向のビーム幅は、少なくとも第１および第２のＦＯＶの垂直方向の範囲を含む。方法はまた、ＬＩＤＡＲ装置から受信した環境の走査に少なくとも基づいて、コントローラによって乗り物を操作することを含み得る。
【００１１】
［0011］  さらに別の態様において、システムが提供される。システムは、送信機と第１および第２の受信機とを含むＬＩＤＡＲ装置から、乗り物の周囲の環境の走査を受信するための手段を含むことができ、送信機は垂直方向のビーム幅を有する光を環境へ発するように構成され、放射光はある波長範囲内の波長を有し、第１の受信機は、第１のＦＯＶで環境を走査しながら第１の分解能で光を検出するように構成され、検出された光は前記波長範囲内の波長を有し、第２の受信機は、第２のＦＯＶで環境を走査しながら第２の分解能で光を検出するように構成され、検出された光は前記波長範囲内の波長を有し、第１の分解能は第２の分解能より高く、第１のＦＯＶは第２のＦＯＶと少なくとも部分的に異なり、垂直方向のビーム幅は、少なくとも第１および第２のＦＯＶの垂直方向の範囲を包む。システムはまた、ＬＩＤＡＲ装置から受信した環境の走査に少なくとも基づいて乗り物を操作するための手段を含むことができる。
【００１２】
［0012］  これらのならびに他の態様、利点、および代替形態は、添付の図面を適宜参照しながら以下の詳細な記載を読むことによって当業者には明らかになるであろう。さらに、この概要セクションおよびこの文書の他の場所に提供されている記載は特許請求された主題を限定としてではなく例として説明することを意図していることを理解されたい。
【図面の簡単な説明】
【００１３】
【図１】［0013］実施形態例による、ＬＩＤＡＲ装置の簡略ブロック図である。
【図２Ａ】［0014］実施形態例による、ＬＩＤＡＲ装置の上面図の断面図を示す。
【図２Ｂ】［0015］実施形態例による、ＬＩＤＡＲ装置の側面図の断面図を示す。
【図２Ｃ】［0016］実施形態例による、ＬＩＤＡＲ装置の異なる側面図の断面図を示す。
【図３Ａ】［0017］実施形態例による、ＬＩＤＡＲ装置の上面図の別の断面図を示す。
【図３Ｂ】［0018］実施形態例による、ＬＩＤＡＲ装置の側面図の別の断面図を示す。
【図３Ｃ】［0019］実施形態例による、ＬＩＤＡＲ装置の異なる側面図の別の断面図を示す。
【図４Ａ】［0020］実施形態例による、乗り物の上面に位置付けられたＬＩＤＡＲ装置のいくつかの図を示す。
【図４Ｂ】［0021］実施形態例による、乗り物の上面に位置付けられたＬＩＤＡＲ装置による発光を示す。
【図４Ｃ】［0022］実施形態例による、乗り物の上面に位置付けられたＬＩＤＡＲ装置による反射光の検出を示す。
【図４Ｄ】［0023］実施形態例による、乗り物の上面に位置付けられたＬＩＤＡＲ装置による反射光の別の検出を示す。
【図４Ｅ】［0024］実施形態例による、乗り物の上面に位置付けられたＬＩＤＡＲ装置の走査範囲を示す。
【図５】［0025］実施形態例による、ＬＩＤＡＲ装置から受信した走査に基づいて乗り物を操作するための方法を示すフローチャートである。
【図６】［0026］実施形態例による、ＬＩＤＡＲ装置から受信した環境の走査に基づく乗り物の操作を示す。
【図７】［0027］実施形態例による、乗り物の簡略ブロック図である。
【発明を実施するための形態】
【００１４】
［0028］  例示的な方法およびシステムが本明細書に記載されている。「例示的」という用語は、「例、事例または説明として提供する」を意味すべく本明細書で用いられることを理解されたい。「例示的」または「説明に役立つ」として本明細書に記載されるいずれの実践形態または特徴も、他の実践形態または特徴よりも好ましいまたは有利であると必ずしも解釈されるべきではない。図中、文脈上別段の指示がない限り、類似の記号は通常類似の構成要素を識別する。本明細書に記載の実践形態の例は限定的であることを意味しない。一般的に本明細書に記載されまた図に示されるような本開示の態様は、多様な異なる構成で配置、置換え、組合せ、分離および設計可能であり、その全ては本明細書中で考えられていることは容易に理解されよう。
【００１５】
Ｉ．概要
［0029］  事故回避システムおよびリモートセンシング機能を備えた乗り物の開発を含む、乗り物の安全性および／または自律運転を改善するための努力が続けられている。ＬＩＤＡＲ装置などの多様なセンサが、乗り物の環境内の障害物または物体を検出し、それによって、他の選択肢の中でもとりわけ事故回避および／または自律運転を促すために、乗り物に含まれ得る。
【００１６】
［0030］  いくつかの事例では、ＬＩＤＡＲ装置の取り付け位置および／または構成は、いくつかの物体検出／識別シナリオにとって、および／または他の理由のために、望ましくない場合がある。例えば、乗り物の上面に位置付けられたＬＩＤＡＲ装置は（例えば、ＬＩＤＡＲ装置を回転させることによって）３６０°の水平ＦＯＶを有することができるが、乗り物の上面に位置付けられたＬＩＤＡＲ装置の幾何学的形状のために乗り物の近くの物体を検出しない可能性がある。別の事例では、広いＦＯＶを走査期間にわたって走査しているＬＩＤＡＲ装置は、同じ走査期間にわたってより狭いＦＯＶを走査している同様のＬＩＤＡＲ装置よりも低い角度分解能の環境３Ｄマップを提供し得る。より低い分解能は、例えば、中距離物体（例えば、乗り物までの閾値距離内）を識別するのに十分であり得るが、遠距離物体（例えば、閾値距離外）を識別するのに不十分であり得る。さらに、走査期間を調整することは、ＬＩＤＡＲ装置のリフレッシュレート（すなわち、ＬＩＤＡＲ装置がＦＯＶ全体を走査するレート）に影響を及ぼし得る。一方では、高いリフレッシュレートは、ＬＩＤＡＲ装置がＦＯＶにおける変化（例えば、動いている物体等）を迅速に検出することを可能にし得る。他方、低いリフレッシュレートは、ＬＩＤＡＲ装置がより高い分解能のデータを提供することを可能にし得る。
【００１７】
［0031］  そのような課題を解決するのを助けるために、本明細書で開示されるのは、ＬＩＤＡＲ装置がそれぞれ異なる分解能で環境の異なる部分に関する情報を取得することができるアーキテクチャを有するＬＩＤＡＲ装置である。ＬＩＤＡＲ装置は本明細書では乗り物に使用されるという文脈で記載されているが、本明細書に開示されたＬＩＤＡＲ装置は様々な目的に使用することができ、任意の実現可能なシステムまたは構成に組み込むことができる、または別の方法で接続することができる。それにもかかわらず、ＬＩＤＡＲ装置は、従来の自動車および自律運転モードを有する自動車を含む任意の種類の乗り物に使用することができる。しかしながら、「乗り物」という用語は、例えば、とりわけ、トラック、バン、セミトレーラトラック、オートバイ、ゴルフカート、オフロード乗り物、倉庫搬送乗り物、または農場乗り物、ならびに、ジェットコースター、トロリー、トラム、または列車など軌道に乗る移動体を含むあらゆる移動物体を網羅するように広く解釈されるべきである。
【００１８】
［0032］  より具体的には、開示されたＬＩＤＡＲ装置は、光源（例えば、高出力ファイバレーザ）から出、送信レンズを出て環境に向かう光を方向付けるための光路を収容する送信機を含むことができる。一般に、その放射光は、特定の波長範囲（例えば、１５２５ｎｍから１５６５ｎｍ）内の波長を有することができ、とりわけ、発せられたレーザビームの形態を取り得る。さらに、送信機は、例えば水平軸から＋７°離れて水平軸から−１８°離れて広がるように、垂直軸に沿って光を広げるための拡散器を含むことができる。この配置は、レーザビームの垂直ビーム幅よりも著しく狭い水平ビーム幅を有するレーザビームをもたらすことができる。実際には、そのような水平方向に狭いレーザビームは、反射物体から反射されたビームと、反射物体に水平に隣接するより反射率の低い物体から反射されたビームとの間の干渉を回避するのに役立ち得、これは最終的にＬＩＤＡＲ装置がそれらの物体を区別する助けとなり得る。
【００１９】
［0033］  さらに、ＬＩＤＡＲ装置は、それぞれが上述の波長範囲内の波長を有する光を検出するようにそれぞれ構成された少なくとも第１および第２の受信機を含むことができる。本開示によれば、第１の受信機は、（例えば、第１の光検出器のアレイを使用して）第１の分解能で光を検出するように構成することができ、第２の受信機は、（例えば、第２の光検出器のアレイを使用して）第２の分解能で光を検出するように構成することができ、ここで第１の分解能は第２の分解能より高い。さらに、そのような各受信機は、異なるＦＯＶで環境を走査するように構成されてもよい。例えば、第１の受信機は、入射光を上記水平軸から＋７°離れて上記水平軸から−７°離れる範囲内で集束させるように光学レンズ装置等を含むことができ、第２の受信機は、入射光を上記水平軸から−７°離れて上記水平軸から−１８°離れる範囲内に集束させるように光学レンズ装置等を含むことができる。このようにして、放射光の垂直方向のビーム幅は、少なくとも第１および第２のＦＯＶの垂直方向の範囲を包含することができ、それによってＬＩＤＡＲ装置が環境の比較的より大きな部分についてのデータを提供することを可能にする。他の例もまた可能である。
【００２０】
［0034］  さらに、ＬＩＤＡＲ装置は、静止プラットフォームならびに回転プラットフォームも含み得る。特に、回転プラットフォームは、回転リンクを介して静止プラットフォームに結合されてもよく、静止プラットフォームに対して軸を中心に回転するように構成されてもよい。そうすることで、回転プラットフォームはまた、送信機、第１の受信機、および第２の受信機をそれぞれ環境に対して移動させ、それによって、ＬＩＤＡＲ装置が環境の様々な部分に関する情報を水平方向に取得することを可能にする。さらに、静止プラットフォームは、（例えば任意の実現可能なコネクタ構成を使用して）乗り物の上面または他のシステムもしくは装置に結合されるように構成されてもよい。
【００２１】
［0035］  いくつかの実践形態では、開示されたＬＩＤＡＲ装置は、以下のように構成され得る、すなわち、（ｉ）第１の受信機が実質的に静止プラットフォームより上に位置付けられ、（ｉｉ）第２の受信機および送信機が両方とも実質的に第１の受信機より上に位置付けられ、（ｉｉｉ）第２の受信機は実質的に水平方向に送信機に隣接して位置付けられる。実際には、この特定の配置は様々な理由で有利であり得る。
【００２２】
［0036］  例えば、静止プラットフォームは、乗り物の１つまたは複数の車輪が位置付けられている底面とは反対側の乗り物の上面に結合されてもよく、回転プラットフォームは乗り物の上面に対して実質的に垂直な垂直軸を中心に回転するように構成されてもよい。さらに、上述のように送信機がより高い地点に配置されることにより、送信機は、乗り物自体からの反射を実質的に回避する上述の垂直方向の広がりを有する光を発することが可能であり得る。同様に、上述のように第２の受信機もそのより高い地点に配置されているので、第２の受信機は、乗り物の比較的近くにある環境の一部から反射される光を検出することが可能であり得る。
【００２３】
［0037］  これに関して、上記の例としてのＦＯＶを考えると、第２の受信機は、乗り物により近い環境の一部のＦＯＶを有し得、第１の受信機は、乗り物から離れた環境の一部のＦＯＶを有し得る。このようにして、第１の受信機は、乗り物からより遠くにある物体から反射された光をより高い分解能で受信し、それによってそれらのより遠くの物体の検出および／または認識を助けるためのより細かい詳細を提供し得る。さらに、第２の受信機は、乗り物により近い物体から反射された光をより低い分解能で（すなわち、第１の受信機の分解能と比較して）受信し、それは、とりわけ、センサコスト、電力消費、および／またはデータ負荷の低減を可能にしながら、それらのより近くの物体の検出および／または認識を助けるのに十分な詳細を提供し得る。
【００２４】
ＩＩ．ＬＩＤＡＲ装置の配置例
［0038］  ここで図を参照すると、図１は、例示的実施形態による、ＬＩＤＡＲ装置１００の簡略ブロック図である。図示のように、ＬＩＤＡＲ装置１００は、電源装置１０２、電子機器１０４、光源１０６、送信機１０８、第１の受信機１１０、第２の受信機１１２、回転プラットフォーム１１４、アクチュエータ１１６、静止プラットフォーム１１８、回転リンク１２０およびハウジング１２２を含む。他の実施形態では、ＬＩＤＡＲ装置１００は、より多くの、より少ない、または異なる構成要素を含んでもよい。さらに、示されている構成要素は、任意の数の方法で組み合わされても分割されてもよい。
【００２５】
［0039］  電源装置１０２は、ＬＩＤＡＲ装置１００の様々な構成要素に電力を供給するように構成されてもよい。特に、電源装置１０２は、ＬＩＤＡＲ装置１００内に配置され、任意の実行可能な方法でＬＩＤＡＲ装置１００の様々な構成要素に接続され、それによりそれら構成要素に電力を供給する少なくとも１つの電源を含み得るか、またはその形態を取り得る。追加的または代替的に、電源装置１０２は、１つまたは複数の外部電源から（例えば、ＬＩＤＡＲ装置１００が結合された乗り物の中に配置された電源から）電力を受け取り、その受け取った電力を任意の実行可能な方法でＬＩＤＡＲ装置１００の様々な構成要素に供給するように構成された電力アダプタまたはそれに類するものを含み得るか、またはその形態を取り得る。いずれの場合も、例えば電池などの任意の種類の電源を使用することができる。
【００２６】
［0040］  電子機器１０４は、それぞれがＬＩＤＡＲ装置１００の特定のそれぞれの動作を容易にするのを助けるように構成された１つまたは複数の電子部品および／またはシステムを含み得る。実用においては、これらの電子機器１０４は任意の実行可能な方法でＬＩＤＡＲ装置１００内に配置され得る。例えば、電子機器１０４の少なくともいくつかは、回転リンク１２０の中央キャビティ領域内に配置されてもよい。それにもかかわらず、電子機器１０４は、様々な種類の電子部品および／またはシステムを含んでもよい。
【００２７】
［0041］  例えば、電子機器１０４は、コントローラからＬＩＤＡＲ装置１００の様々な構成要素への制御信号の伝送、および／またはＬＩＤＡＲ装置１００の様々な構成要素からコントローラへのデータの伝送に使用される様々な配線を含むことができる。一般に、コントローラが受信するデータは、とりわけ、受信機１１０〜１１２による光の検出に基づくセンサデータを含み得る。さらに、コントローラによって送信される制御信号は、とりわけ、送信機１０６による発光の制御、受信機１１０〜１１２による光の検出の制御、および／または、回転プラットフォーム１１２を回転させるためのアクチュエータ１１６の制御によってなど、ＬＩＤＡＲ装置１００の様々な構成要素を動作させることができる。
【００２８】
［0042］  いくつかの構成では、電子機器１０４はまた、問題のコントローラを含み得る。このコントローラは、１つまたは複数のプロセッサと、データ記憶装置と、データ記憶装置に記憶され、様々な動作を促すために１つまたは複数のプロセッサによって実行可能なプログラム命令とを有し得る。この構成では、コントローラは、したがって、後述の方法５００のオペレーションなど、本明細書に記載のオペレーションを保持するように構成され得る。それに加えてまたはその代わりに、コントローラは、外部コントローラとＬＩＤＡＲ装置１００の様々な構成要素との間での制御信号および／またはデータの伝送を容易にするのを助けるために、外部コントローラまたはそれに類するもの（例えば、ＬＩＤＡＲ装置１００が結合される乗り物に配置されるコンピューティングシステム）と通信し得る。
【００２９】
［0043］  しかしながら、他の構成では、電子機器１０４は問題のコントローラを含まなくてもよい。むしろ、上述の配線の少なくともいくつかは、外部コントローラへの接続のために使用され得る。この構成では、配線は、外部コントローラとＬＩＤＡＲ装置１００の様々な構成要素との間での制御信号および／またはデータの伝送を容易にするのに役立ち得る。他の構成も可能である。
【００３０】
［0044］  さらに、１つまたは複数の光源１０６は、それぞれ、ある波長範囲内の波長を有する複数の光ビームおよび／またはパルスを発するように構成することができる。波長範囲は、例えば、電磁スペクトルの紫外線、可視光線、および／または赤外線部分にあり得る。いくつかの例では、波長範囲は、レーザによって提供されるものなど、狭い波長範囲であり得る。一例では、波長範囲は、およそ１５２５ｎｍから１５６５ｎｍの間の波長を含む。この範囲は例示目的でのみ記載されており、限定することを意味しないことに留意されたい。
【００３１】
［0045］  本開示によれば、光源１０６のうちの１つは、光増幅器を含むファイバレーザであり得る。特に、ファイバレーザは、能動利得媒体（すなわち、レーザ内の光学利得の源）が光ファイバ内にあるレーザであり得る。さらに、ファイバレーザは、ＬＩＤＡＲ装置１００内に様々な方法で配置することができる。例えば、ファイバレーザは、回転プラットフォーム１１４と第１の受信機１１０との間に配置することができる。
【００３２】
［0046］  したがって、本開示は、ファイバレーザが一次光源１０６として使用される文脈において本明細書中で一般的に記載される。しかしながら、いくつかの構成では、１つまたは複数の光源１０６は、追加的にまたは代替的に、レーザダイオード、発光ダイオード（ＬＥＤ）、垂直共振器面発光レーザ（ＶＣＳＥＬ）、有機発光ダイオード（ＯＬＥＤ）、ポリマー発光ダイオード（ＰＬＥＤ）、発光ポリマー（ＬＥＰ）、液晶ディスプレイ（ＬＣＤ）、微小電気機械システム（ＭＥＭＳ）および／または複数の放射光ビームおよび／またはパルスを提供するために光を選択的に送信、反射、および／または発するように構成された他の任意の装置を含み得る。
【００３３】
［0047］  本開示によれば、送信機１０８は、環境内に光を発するように構成され得る。特に、送信機１０８は、光を光源１０６から環境に向けるように構成されている光学的配置を含むことができる。この光学的配置は、光学部品の中でもとりわけ、物理的空間全体に光の伝播を案内するために使用されるミラーおよび／または特定の光の特性を調整するために使用されるレンズの任意の実現可能な組み合わせを含み得る。例えば、光学的配置は、光をコリメートするように配置された送信レンズを含むことができ、それによって、互いに実質的に平行な光線を有する光をもたらす。
【００３４】
［0048］  いくつかの実践形態では、光学的配置はまた、垂直軸に沿って光を広げるように配置された拡散器を含み得る。実用においては、拡散器は、ガラスまたは他の材料から形成されてもよく、特定の方法で光を広げるまたは別の方法で散乱させるような形状（例えば、非球面形状）であってもよい。例えば、垂直方向の広がりは、水平軸から＋７°離れて水平軸から−１８°離れる広がりであり得る（例えば、水平軸は理想的には環境内の地面に平行である）。さらに、拡散器は、例えばファイバレーザの出力端に融着させることによるなど、任意の直接的または間接的な方法で光源１０６に結合することができる。
【００３５】
［0049］  したがって、この実践態様は、レーザビームの垂直ビーム幅よりも著しく狭い水平ビーム幅（例えば１ｍｍ）を有するレーザビームまたはそれに類するものをもたらし得る。上述のように、このような水平方向に狭いレーザビームは、反射物体から反射されたビームと、反射物体に水平方向に隣接するより反射率の低い物体から反射されたビームとの間の干渉を回避する一助となり得、これは最終的にＬＩＤＡＲ装置１００がそれらの物体を区別する一助となり得る。他の利点もあり得る。
【００３６】
［0050］  なおもさらに、いくつかの実践形態では、光学的配置はまた、例えばサーモパイルの形態を取り得る、ＬＩＤＡＲ装置１００の熱エネルギー測定装置（図示せず）に向けて拡散光の少なくとも一部を反射するように配置されたダイクロイックミラーを含み得る。この実践形態では、熱エネルギー測定装置は、環境に向かって発せられる光のエネルギーを測定するように構成することができる。そして、そのエネルギー測定値に関連するデータは、コントローラによって受信され、次いで、例えば放射光の強度に対する調整などのさらなる動作を容易にするための基礎としてコントローラによって使用され得る。他の実践形態も可能である。
【００３７】
［0051］  上述のように、ＬＩＤＡＲ装置１００は、第１の受信機１１０および第２の受信機１１２を含むことができる。そのような各受信機は、送信機１０８から発せられる光のうちの１つと同じ波長範囲（例えば、１５２５ｎｍから１５６５ｎｍ）の波長を有する光をそれぞれ検出するように構成することができる。このようにして、ＬＩＤＡＲ装置１００は、ＬＩＤＡＲ装置１００で発生した反射光パルスを環境内の他の光と区別することができる。
【００３８】
［0052］  本開示によれば、第１の受信機１１０は第１の分解能で光を検出するように構成することができ、第２の受信機１１２は第１の分解能より低い第２の分解能で光を検出するように構成することができる。例えば、第１の受信機１１０は、０．０３６°（水平）×０．０６７°（垂直）の角度分解能で光を検出するように構成することができ、第２の受信機１１２は、０．０３６°（水平）×０．２３°（垂直）の角度分解能で光を検出するように構成することができる。
【００３９】
［0053］  さらに、第１の受信機１１０は第１のＦＯＶで環境を走査するように構成することができ、第２の受信機１１２は第１のＦＯＶと少なくとも部分的に異なる第２のＦＯＶで環境を走査するように構成することができる。一般に、この構成は、ＬＩＤＡＲ装置１００が、環境の異なる部分をそれぞれ異なる分解能で走査することを可能にし得、これは以下でさらに考察するように様々な状況に適用可能であり得る。
【００４０】
［0054］  さらに、ＬＩＤＡＲ装置１００は、発せられた光の垂直方向のビーム幅が少なくとも第１および第２のＦＯＶの垂直方向の範囲を含むように構成されてもよい。例えば、問題となっている受信機の異なるＦＯＶは、放射光の上述の垂直方向の広がりと同じ角度範囲に実質的に沿った光の検出を集合的に可能にする少なくとも部分的に異なる垂直ＦＯＶであり得る。この構成では、コントローラは、垂直方向のビーム幅を有する光（例えば、レーザビーム）を発するようにＬＩＤＡＲ装置１００を動作させることができ、次にＬＩＤＡＲ装置１００は、受信機のＦＯＶの垂直方向の範囲に沿って第１および第２の受信機１１０〜１１２の両方で反射光を検出することができる。このようにして、ＬＩＤＡＲ装置１００は、環境の比較的より大きな部分に関するデータを提供し、比較的より速い速度でそれを行うことができる。
【００４１】
［0055］  特定の例では、第１の受信機１１０は、入射光を上述の水平軸から＋７°離れ水平軸から−７°離れた範囲内に集束するように構成されてもよく、第２の受信機１１２は、入射光を水平軸から−７°離れ水平軸から−１８°離れた範囲内に集束するように構成されてもよい。このようにして、第１および第２の受信機１１０〜１１２は、＋７°〜−１８°の範囲に沿って光を検出することを集合的に可能にし、これは送信機１０８が提供する放射光の上述の例示的な垂直方向の広がりに一致する。これらの分解能およびＦＯＶは例示目的のためにのみ記載されており、限定することを意味しないことに留意されたい。
【００４２】
［0056］  実践形態の例において、第１および第２の受信機１１０〜１１２はそれぞれ、上述のように受信機がそれぞれの分解能およびＦＯＶを提供することを可能にするそれぞれの光学的配置を有することができる。一般に、そのような各光学的配置は、少なくとも１つの光学レンズと光検出器アレイとの間に光路をそれぞれ提供するように構成することができる。
【００４３】
［0057］  一実施形態において、第１の受信機１１０は、ＬＩＤＡＲ装置１００の環境内の１つまたは複数の物体から反射された光を第１の受信機１１０の検出器上に集束するように構成された光学レンズを含み得る。そうするために、光学レンズは、例えば、約１０ｃｍ×５ｃｍの寸法および約３５ｃｍの焦点距離を有し得る。さらに、光学レンズは、上述のように入射光を特定の垂直ＦＯＶに沿って集束するように（例えば、＋７°〜−７°）形成されてもよい。本開示の範囲から逸脱することなく、第１の受信機の光学レンズのそのような形状は、様々な形態のうちの１つ（例えば、球面形状）を取り得る。
【００４４】
［0058］  この実施形態では、第１の受信機１１０は、少なくとも１つの光学レンズと光検出器アレイとの間の光路を折り曲げるように配置された少なくとも１つのミラーも含むことができる。そのような各ミラーは、任意の実現可能な方法で第１の受信機１１０内に固定することができる。また、光路を折り曲げるために任意の実現可能な数のミラーを配置することができる。例えば、第１の受信機１１０はまた、光学レンズと光検出器アレイとの間で光路を２回以上折り曲げるように配置された２つ以上のミラーを含み得る。実用においては、このような光路の折り曲げは、結果の中でもとりわけ、第１の受信機のサイズを縮小するのを助け得る。
【００４５】
［0059］  別の実施形態では、第１の受信機１１０は２つ以上の光学レンズを含み得る。例えば、第１の受信機１１０は、環境に面する外側の球面形状のレンズと、内側の円筒形状のレンズとを含み得る。この例では、したがって、入射光は焦点面の線上に集束され得る。他の例および実践形態も可能である。
【００４６】
［0060］  さらに、上述のように、第１の受信機は、（例えば、上述の波長範囲の）検出光を、その検出光を示す電気信号に変換するようにそれぞれ構成された２つ以上の検出器を含み得る光検出器アレイを有し得る。実用においては、そのような光検出器アレイは様々な方法のうちの１つで配置することができる。例えば、検出器は、１つまたは複数の基板（例えば、プリント回路基板（ＰＣＢ）、フレキシブルＰＣＢ等）上に配置され、光学レンズから光路に沿って進む入射光を検出するように配置され得る。また、そのような光検出器アレイは、任意の実行可能な方法で整列された任意の実行可能な数の検出器を含み得る。例えば、光検出器アレイは１３×１６アレイの検出器を含み得る。この光検出器アレイは例示目的のためだけに記載されており、限定することを意味しないことに留意されたい。
【００４７】
［0061］  一般に、アレイの検出器は様々な形態を取り得る。例えば、検出器は、フォトダイオード、アバランシェフォトダイオード（例えば、ガイガーモードおよび／またはリニアモードアバランシェフォトダイオード）、フォトトランジスタ、カメラ、アクティブピクセルセンサ（ＡＰＳ）、電荷結合素子（ＣＣＤ）、極低温検出器および／または放射光の波長範囲内の波長を有する集束光を受け取るように構成された光の任意の他のセンサの形態を取り得る。他の例も可能である。
【００４８】
［0062］  第２の受信機１１２に関して、第２の受信機１１２はまた、ＬＩＤＡＲ装置１００の環境内の１つまたは複数の物体から反射された光を第１の受信機１１０の検出器に集束させるように構成された少なくとも１つの光学レンズを含み得る。そうするために、光学レンズは、上述のように特定の垂直ＦＯＶ（例えば、−７°〜−１８°）に沿って入射光を集束させるのに役立ついずれかの寸法、焦点距離、および形状を有し得る。いくつかの実践形態では、第２の受信機１１２は、第２の受信機の光学レンズと第２の受信機の光検出器アレイとの間の光路を折り曲げるように配置された１つまたは複数のミラーを含み得る。さらに、第２の受信機の光検出器アレイは、第１の受信機１１０の文脈において上述した方法のいずれかで配置された任意の実行可能な数の検出器を含み得る。他の実践形態も可能である。
【００４９】
［0063］  さらに、上述のように、ＬＩＤＡＲ装置１００は、軸を中心に回転するように構成されている回転プラットフォーム１１４を含むことができる。このように回転するために、１つまたは複数のアクチュエータ１１６が回転プラットフォーム１１４を作動させることができる。実用においては、これらのアクチュエータ１１６は、とりわけ、モータ、空気圧アクチュエータ、油圧ピストン、および／または圧電アクチュエータを含むことができる。
【００５０】
［0064］  本開示によれば、送信機１０８ならびに第１および第２の受信機１１０〜１１２は、これらの構成要素のそれぞれが回転プラットフォーム１１４の回転に基づいて環境に対して動くように回転プラットフォーム上に配置されてもよい。特に、これらの構成要素のそれぞれは、ＬＩＤＡＲ装置１００が様々な方向から情報を取得できるように軸に対して回転させることができる。このように、ＬＩＤＡＲ装置１００は、回転プラットフォーム１１４を異なる方向に作動させることによって調整することができる水平方向の視線方向を有することができる。
【００５１】
［0065］  この構成では、コントローラは、様々な方法で環境に関する情報を取得するために様々な方法で回転プラットフォーム１１４を回転させるようにアクチュエータ１１６に指示することができる。特に、回転プラットフォーム１１４は、様々な範囲でいずれの方向にも回転することができる。例えば、回転プラットフォーム１１４は、ＬＩＤＡＲ装置１００が環境の３６０°の水平ＦＯＶを提供するように全回転を実行することができる。したがって、第１および第２の受信機１１０〜１１２が両方とも回転プラットフォーム１１４の回転に基づいて回転できると仮定すると、両方の受信機１１０〜１１２は同じ水平ＦＯＶ（例えば３６０°）を有する一方で上述のように異なる垂直ＦＯＶを有することができる。
【００５２】
［0066］  さらに、回転プラットフォーム１１４は、ＬＩＤＡＲ装置１００に様々なリフレッシュレートで環境を走査させるように様々なレートで回転することができる。例えば、ＬＩＤＡＲ装置１００は、１５Ｈｚのリフレッシュレート（例えば、毎秒１５回のＬＩＤＡＲ装置１００の完全回転）を有するように構成されてもよい。この例では、さらに後述するようにＬＩＤＡＲ装置１００が乗り物に結合されていると仮定すると、走査は、毎秒１５回、乗り物の周りを３６０°のＦＯＶで走査することを含む。他の例もまた可能である。
【００５３】
［0067］  なおもさらに、上述のように、ＬＩＤＡＲ装置１００は、静止プラットフォーム１１８を含むことができる。実用においては、静止プラットフォームは、任意の形状または形態をとることができ、例えば乗り物の上面など、様々な構造体に結合するように構成することができる。また、静止プラットフォームの結合は、任意の実現可能なコネクタ装置（例えば、ボルトおよび／またはねじ）を介して実行されてもよい。このように、ＬＩＤＡＲ装置１００は、本明細書に記載されているものなどの様々な目的に使用されるように構造体に結合することができる。
【００５４】
［0068］  本開示によれば、ＬＩＤＡＲ装置１００はまた、静止プラットフォーム１１８を回転プラットフォーム１１４に直接的または間接的に結合する回転リンク１２０を含み得る。具体的には、回転リンク１２０は、静止プラットフォーム１１８に対して軸周りに回転プラットフォーム１１４を回転させる任意の形状、形態および材料を取り得る。例えば、回転リンク１２０は、アクチュエータ１１６からの作動に基づいて回転するシャフトまたはそれに類するものの形態をとることができ、それによってアクチュエータ１１６からの機械的な力を回転プラットフォーム１１４へ伝達する。さらに、上述のように、回転リンクは中央キャビティを有してもよく、その中に電子機器１０４および／またはＬＩＤＡＲ装置１００の１つまたは複数の他の構成要素が配置されてもよい。他の配置も同様に可能である。
【００５５】
［0069］  なおもさらに、上述のように、ＬＩＤＡＲ装置１００は、ハウジング１２２を含み得る。実用においては、ハウジング１２２は、任意の形状、形態、および材料を取り得る。例えば、ハウジング１２２は、とりわけ、ドーム型ハウジングとすることができる。別の例では、ハウジング１２２は、少なくとも部分的に非透明材料から構成されてもよく、これは、少なくとも一部の光がハウジング１２２の内部空間に入るのを阻止することを可能にし得、したがって以下でさらに考察するように熱の影響を緩和する一助となり得る。このハウジングは例示目的のためにのみ記載されており、限定することを意味しないことに留意されたい。
【００５６】
［0070］  本開示によれば、ハウジング１２２は、回転プラットフォーム１１４の回転に基づいてハウジング１２２が上述の軸を中心に回転するように構成されるように回転プラットフォーム１１４に結合されてもよい。この実践形態では、送信機１０８、第１および第２の受信機１１０〜１１２、ならびに場合によってはＬＩＤＡＲ装置１００の他の構成要素は、それぞれハウジング１２２内に配置されてもよい。このようにして、送信機１０８ならびに第１および第２の受信機１１０〜１１２は、ハウジング１２２内に配置されながらハウジング１２２と一緒に回転し得る。
【００５７】
［0071］  さらに、ハウジング１２２は、その上に形成された開口部を有することができ、それは任意の実行可能な形状およびサイズをとることができる。この点に関して、送信機１０８は、開口部を通して環境に光を発するようにハウジング１２０内に配置することができる。このようにして、送信器１０８は、ハウジング１２０の対応する回転により開口部と一緒に回転し、それによって様々な方向への発光を可能にできる。また、第１および第２の受信機１１０〜１１２はそれぞれ、環境から開口部を通ってハウジング１２０に入る光をそれぞれ検出するように、ハウジング１２０内にそれぞれ配置することができる。このようにして、受信器１１０〜１１２は、ハウジング１２０の対応する回転により開口部と一緒に回転することができ、それによって水平ＦＯＶに沿って様々な方向から入ってくる光の検出を可能にする。
【００５８】
［0072］  実用においては、ハウジング１２２は様々な理由で上述のように配置されてもよい。具体的には、ＬＩＤＡＲ装置１００の様々な構成要素がハウジング１２２内に配置されていること、およびハウジング１２２がそれらの構成要素と一緒に回転することによって、ハウジング１２２はこれらの構成要素をとりわけ雨および／または雪などの様々な環境上の危険要因から保護するのに役立ち得る。また、ＬＩＤＡＲ装置１００がハウジング１２２内で回転するときにハウジング１２２が静止している場合、ハウジング１２２は、ハウジング１２２を通る光の伝播を可能にし、それによってＬＩＤＡＲ装置１００による環境の走査を可能にするように、おそらく透明であろう。
【００５９】
［0073］  しかしながら、本開示によれば、ハウジング１２２は、ＬＩＤＡＲ装置１００と一緒に回転する開口部を有することができ、これは、ハウジング１２２が環境の走査の走査を可能にするために必ずしも完全に透明である必要がないことを意味する。例えば、ハウジング１２２は、開口部を除いて少なくとも部分的に非透明材料から構成することができ、開口部は透明な材料から構成することができる。結果として、ハウジング１２２は、ＬＩＤＡＲ装置１００への熱の影響を緩和する一助となり得る。例えば、ハウジング１２２は、太陽光線がハウジング１２２の内部空間に入るのを阻止することができ、これはそれらの太陽光線によるＬＩＤＡＲ装置１００の様々な構成要素の過熱を回避する一助となり得る。他の例も可能である。
【００６０】
［0074］  上述のようなＬＩＤＡＲ装置１００の様々な構成要素を考えると、これらの様々な構成要素は様々な方法で配置することができる。本開示によれば、ＬＩＤＡＲ装置１００は、静止プラットフォーム１１８が地面に最も近くなるように空間的に配向されていると仮定すると、ＬＩＤＡＲ装置１００は以下のように配置され得る、すなわち、（ｉ）第１の受信機１１０は実質的に静止プラットフォーム１１８の上に位置付けられ、（ｉｉ）第２の受信機１１２および送信機１０８は両方とも実質的に第１の受信機１１０の上に位置付けられ、（ｉｉｉ）第２の受信機１１２は送信機１０８に実質的に水平方向に隣接して位置付けられる。以下でさらに考察するように、この特定の配置はさまざまな理由で有利かもしれない。しかしながら、この配置は例示目的のためにのみ記載されており、限定することを意味しないことに留意されたい。
【００６１】
ＩＩＩ．ＬＩＤＡＲ装置の例示的な実践形態
［0075］  次に、図２Ａ〜２Ｃは、本明細書に開示された特徴を有するＬＩＤＡＲ装置の図の例示的な組を示す。具体的には、図２Ａは、ＬＩＤＡＲ装置２００の上面断面図を示し、図２Ｂは、ＬＩＤＡＲ装置２００の側面断面図を示し、図２Ｃは、図２Ｂに示される側面図とは反対側であるＬＩＤＡＲ装置２００の側面断面図（例えば、ＬＩＤＡＲ装置２００が軸２３２を中心に半回転した後に示される側面図など）を示す。これらの図は例示目的でのみ示されており、限定することを意味しないことに留意されたい。
【００６２】
［0076］  より具体的には、図２Ａ〜２Ｃは、ＬＩＤＡＲ装置２００が上の考察に従って回転プラットフォーム２１４に結合されたハウジング２２２を含むことを集合的に示している。回転プラットフォーム２１４は、やはり上の考察に従って、回転リンク２２０を介して静止プラットフォーム２１８に結合されているように示されている。この構成では、回転プラットフォーム２１４は軸２３２を中心に回転することができ、それによって、ＬＩＤＡＲ装置２００のハウジング２２２、送信機２０８、第１の受信機２１０、および第２の受信機２１２も軸２３２を中心に回転する。
【００６３】
［0077］  実用においては、ハウジング２２２は、上述のハウジング１２２の形態をとることができる。また、ハウジング２２２は開口部２３０を含むように示されており、開口部２３０を通して光を環境に発することができ、反射された光が環境から入ることができる。さらに、図２Ａ〜２Ｃは、送信機２０８、第１の受信機２１０、および第２の受信機２１２がそれぞれハウジング２２２内に配置され、この際、送信機２０８が第２の受信機２１２に実質的に隣接し、送信機および第２の受信機２１２は両方とも第１の受信機２１０の上に位置付けられていることを集合的に示している。
【００６４】
［0078］  より具体的には、送信機２０８は、上述の送信機１０８の形態を取り得る。図２Ａおよび２Ｂに示されるように、送信機２０８は、光増幅器として機能するファイバレーザと融合された光学レンズ２２４（例えば、拡散器）を含み、ファイバレーザは、回転プラットフォーム２１４と第１の受信機２１０との間に少なくとも部分的に位置付けられる。また、上の考察によれば、光学レンズ２２４は、＋７°から−１８°の特定の垂直方向の広がりに沿って放射光を垂直方向に広げるように構成することができる。
【００６５】
［0079］  さらに、第１の受信機２１０は、上述した第１の受信機１１０の形態をとってもよい。図２Ｂおよび２Ｃに示すように、第１の受信機２１０は、光学レンズ２３８と光検出器アレイ２３６との間に光路を提供する光学的配置を含む。具体的には、光学的配置は、光学レンズ２３８と光検出器アレイ２３６との間の光路を２度折り曲げ、それにより第１の送信機２１０のサイズを縮小する一助となるように配置された２つのミラー２３４を含むように示されている。これに関して、光学レンズ２３８は、入射光を＋７°から−７°の垂直ＦＯＶ範囲内に集束させるように構成されてもよい。また上の考察によれば、光検出器アレイ２３６は、０．０３６°（水平）×０．０６７°（垂直）の角度分解能で光を検出するように構成されてもよい。
【００６６】
［0080］  さらに、第２の受信機２１２は、上述した第２の受信機１１２の形態をとってもよい。図２Ａおよび２Ｃに示されるように、第２の受信機２１２は、光学レンズ２２６と光検出器アレイ２２８との間に光路を提供する光学的配置を含む。この点に関して、光学レンズ２２６は入射光を−７°から−１８°の垂直ＦＯＶ範囲内に集束するように構成されるように示されている。そして上の考察によれば、光検出器アレイ２２８は、０．０３６°（水平）×０．２３°（垂直）の角度分解能で光を検出するように構成することができる。
【００６７】
［0081］  次に、図３Ａ〜３Ｃは、本明細書に開示された特徴を有するＬＩＤＡＲ装置の図の別の例示的な組を示す。特に、図３Ａは、ＬＩＤＡＲ装置３００の上面断面図を示し、図３Ｂは、ＬＩＤＡＲ装置３００の側面断面図を示し、図３Ｃは、図３Ｂに示される側面図とは反対側であるＬＩＤＡＲ装置３００の側面断面図（例えば、ＬＩＤＡＲ装置３００の半回転後に示される側面図など）を示している。これらの図は例示目的でのみ示されており、限定することを意味しないことに留意されたい。
【００６８】
［0082］  より具体的には、図３Ａ〜３Ｃは、ＬＩＤＡＲ装置３００が送信機３０８、第１の受信機３１０、および第２の受信機３１２を含むことを集合的に示している。これらの図には示されていないが、これらの様々な構成要素は、上の考察に従って、回転プラットフォームに結合されてもよいハウジング内に配置されてもよい。回転プラットフォームは次に、やはり上の考察に従って、回転リンクを介して静止プラットフォームに結合されてもよい。この構成では、回転プラットフォームは軸を中心に回転することができ、それによって、ＬＩＤＡＲ装置３００のハウジング、送信機３０８、第１の受信機３１０、および第２の受信機３１２も軸を中心に回転する。さらに、図３Ａ〜３Ｃは、送信機３０８が第２の受信機３１２に実質的に隣接していること、および送信機３０８および第２の受信機３１２が両方とも第１の受信機３１０の上に位置することを集合的に示している。
【００６９】
［0083］  より具体的には、送信機３０８は、上述の送信機１０８の形態をとることができる。図３Ａ〜３Ｃに示すように、送信機２０８は、光増幅器として機能するファイバレーザ３０６によって生成された光を発することができる。また上の考察に従って、送信機３０８は、＋７°〜−１８°の特定の垂直方向広がりに沿って放射光を垂直方向に広げるように構成された光学レンズ３２４（例えば、拡散器）を通して光を発することができる。
【００７０】
［0084］  さらに、第１の受信機３１０は、上述の第１の受信機１１０の形態をとってもよい。図３Ａ〜３Ｃに示されるように、光学的配置が光学レンズ３３８と第１の受信機３１０の光検出器アレイ（図示せず）との間に光路３４０を提供し得る。具体的には、光学的配置は、光学レンズ３３８と第１の受信機３１０の光検出器アレイとの間で光路３４０を２回折り曲げ、それによってＬＩＤＡＲ装置３００のサイズを縮小する一助となるように配置された２つのミラー３３４Ａ〜３３４Ｂを含むように示される。この点に関して、光学レンズ３３８は入射光を＋７°から−７°の垂直ＦＯＶ範囲内に集束するように構成され得る。また上の考察に従って、第１の受信機３１０の光検出器アレイは、０．０３６°（水平）×０．０６７°（垂直）の角度分解能で光を検出するように構成されてもよい。
【００７１】
［0085］  さらに、第２の受信機３１２は、上述の第２の受信機１１２の形態をとってもよい。図３Ａ〜３Ｃに示されるように、光学的配置が光学レンズ３２６と第２の受信機３１２の光検出器アレイ（図示せず）との間に光路を提供し得る。この点に関して、光学レンズ３２６は入射光を−７°〜−１８°の垂直ＦＯＶ範囲内に集束するように配置されるように示されている。また上の考察に従って、第２の受信機３１２の光検出器アレイは、０．０３６°（水平）×０．２３°（垂直）の角度分解能で光を検出するように構成されてもよい。ＬＩＤＡＲ装置の他の図も可能である。
【００７２】
［0086］  次に、図４Ａ〜４Ｅは、乗り物４００における開示されたＬＩＤＡＲ装置の実装形態を集合的に示し、特に乗り物４００における例のＬＩＤＡＲ装置２００の実装形態を示している。乗り物４００は上述のように乗用車として示されているが、他の実施形態も可能である。さらに、例の乗り物４００は、自律モードで動作するように構成され得る乗り物として示されているが、本明細書に記載の実施形態は、自律的に動作するように構成されていない乗り物にも適用可能である。したがって、例の乗り物４００は限定的であることを意味しない。
【００７３】
［0087］  特に、図４Ａは、乗り物４００の右側面図、正面図、後面図、および上面図を示す。図示のように、乗り物４００は、乗り物４００の車輪４０２が配置される底面の反対側の乗り物４００の上面に位置付けられたＬＩＤＡＲ装置２００を含む。ＬＩＤＡＲ装置２００は乗り物４００の上面に位置付けられるように図示および記載されているが、ＬＩＤＡＲ装置２００は本開示の範囲から逸脱することなく乗り物の任意の部分の実行可能部分に位置付けることができる。
【００７４】
［0088］  さらに、図４Ｂ〜４Ｄは次に、ＬＩＤＡＲ装置２００が、例えば１つまたは複数の光パルスを発しおよび乗り物４００の環境内の物体からの反射光パルスを検出しながら垂直軸２３２を中心に回転することによって（例えば、１５Ｈｚのリフレッシュレートで）乗り物４００の周囲の環境を走査するように構成され得ることを示す。
【００７５】
［0089］  より具体的には、図４Ｂは、ＬＩＤＡＲ装置２００が上述の＋７°から−１８°の垂直方向の広がりで光を発することを示す。そして、送信機２０８が上述のようにより高い地点（すなわち、第１の受信機２１０の上）に位置付けられているため、ＬＩＤＡＲ装置２００は、発光が乗り物４００自体から反射しないようにこの垂直方向広がりで光を発することができる。このようにして、乗り物からさらに遠い環境の領域（例えば、乗り物の先の道路標識）に加えて、乗り物に比較的近い環境の領域（例えば、レーンマーカ）に向けて発光を発することができる。
【００７６】
［0090］  さらに、図４Ｃは、ＬＩＤＡＲ装置２００が、＋７°〜−７°の上述の垂直ＦＯＶで反射光を検出し、０．０３６°×０．０６７°の分解能で反射光を検出するために第１の受信機２１０を使用することを示す。また、図４Ｄは、ＬＩＤＡＲ装置２００が、−７°〜−１８°の上述の垂直ＦＯＶで反射光を検出し、０．０３６°×０．２３°の分解能で反射光を検出するために第２の受信機２１２を使用することを示す。また、第２の受信機２１２も上述のようにそのより高い地点に（すなわち第１の受信機２１０の上に）位置付けられているため、ＬＩＤＡＲ装置２００は第２の受信機２１２を使用して乗り物に比較的近い環境の一部から反射される光を検出することができる。
【００７７】
［0091］  このようにして、第１の受信機２１０は、乗り物４００からより遠くにある物体から反射された光をより高い分解能で受信することができ、それによってそれらのより遠くの物体の検出および／または認識に役立つより細かい詳細を提供する。第２の受信機２１２は、乗り物４００により近い物体から反射された光をより低い分解能で（すなわち、第１の受信機２１０の分解能と比較して）受信することができ、これは、とりわけ、センサコスト、電力消費、および／またはデータ負荷の低減を可能にしながら、それらのより近い物体の検出および／または認識に役立つのに十分な詳細を提供し得る。
【００７８】
［0092］  おおまかにこれらの異なる検出距離は例として図４Ｅに示されている。特に、図４Ｅは、乗り物４００が周囲の環境を走査するためにＬＩＤＡＲ装置２００を使用する上記のシナリオにおける乗り物４００の上面図を示す。図４Ｅに示されるように、ＬＩＤＡＲ装置２００は、乗り物４００までのある距離範囲内の物体の検出および／または識別に適している可能性がある。これらの距離範囲は、輪郭４０４および４０６によって示されている。これらの輪郭は原寸に比例していないが説明の便宜上示されるように図示されていることに留意されたい。
【００７９】
［0093］  より具体的には、輪郭４０４の外側の、輪郭４０６によって決定される距離範囲内にある物体は、ＬＩＤＡＲ装置２００の第１の受信機２１０からのより高い分解能のデータを使用して適切に検出／識別され得る。輪郭４０４によって決定される距離範囲内にあるより近い物体は、ＬＩＤＡＲ装置２００の第２の受信機２１２からのより低い分解能のデータを使用して適切に検出／識別され得る。いずれの場合も、各受信機２１０〜２１２の水平ＦＯＶは乗り物４００の周囲の全方向に３６０°広がり得る。他の例も可能である。
【００８０】
ＩＶ．例示的な方法
［0094］  図５は、例の実践形態による方法５００を示すフローチャートである。具体的には、方法５００は、本明細書に開示されているＬＩＤＡＲ装置から受信した走査に基づいて乗り物を操作するように実施することができる。
【００８１】
［0095］  図５に示される方法５００（および本明細書に開示される他のプロセスおよび方法）は、例えば、図１のＬＩＤＡＲ装置１００を含む構成内で、図４Ａ〜４Ｅに示される乗り物４００によって、および／または図７に示され以下でさらに記載される乗り物７００によって（またはより詳細には、プロセッサ、および本明細書に記載される機能を装置に実行させるために実行可能な命令を有する非一時的コンピュータ可読媒体によってなど、１つまたは複数の構成要素またはそのサブシステムによって）、実施され得る方法を提示する。追加的または代替的に、方法５００は他の任意の構成およびシステム内で実施することができる。
【００８２】
［0096］  方法５００ならびに本明細書に開示される他のプロセスおよび方法は、ブロック５０２〜５０４のうちの１つまたは複数によって示されるように、１つまたは複数の操作、機能、または動作を含み得る。ブロックは順番に示されているが、これらのブロックは、並行して、および／または本明細書に記載されているものとは異なる順番で実行されてもよい。また、様々なブロックは、より少ないブロックに結合されても、追加のブロックに分割されても、および／または所望の実践形態に基づいて除去されてもよい。
【００８３】
［0097］  さらに、方法５００ならびに本明細書に開示される他のプロセスおよび方法について、フローチャートは、本実践形態の１つの可能な実践形態の機能および操作を示す。これに関して、各ブロックは、モジュール、セグメント、またはプロセス内の特定の論理機能またはステップを実践するためにプロセッサによって実行可能な１つまたは複数の命令を含むプログラムコードの一部を表すことができる。プログラムコードは、例えばディスクまたはハードドライブを含む記憶装置など、任意の種類のコンピュータ可読媒体に記憶することができる。コンピュータ可読媒体は、例えば、レジスタメモリ、プロセッサキャッシュ、およびランダムアクセスメモリ（ＲＡＭ）のように短期間データを記憶するコンピュータ可読媒体など、非一時的コンピュータ可読媒体を含むことができる。コンピュータ可読媒体はまた、例えば、読み取り専用メモリ（ＲＯＭ）、光ディスクまたは磁気ディスク、コンパクトディスク読み取り専用メモリ（ＣＤ-ＲＯＭ）のような、二次的または持続的長期記憶装置などの非一時的媒体を含み得る。コンピュータ可読媒体はまた、他の任意の揮発性または不揮発性記憶システムでもあり得る。コンピュータ可読媒体は、例えばコンピュータ可読記憶媒体、または有形記憶装置と見なすことができる。さらに、方法５００ならびに本明細書に開示される他のプロセスおよび方法に関して、図５の各ブロックは、プロセス内の特定の論理機能を実行するように配線されている回路を表すことができる。
【００８４】
［0098］  ブロック５０２において、方法５００は、送信機と第１および第２の受信機とを含むＬＩＤＡＲ装置（例えば、ＬＩＤＡＲ装置１００）からコントローラによって、乗り物の周囲の環境の走査を受信することを含む。
【００８５】
［0099］  より具体的には、上述のように、コントローラは、光を環境に発するようにＬＩＤＡＲ装置１００を操作することができる。また、コントローラは、反射光の検出を表すデータをＬＩＤＡＲ装置１００から受信することができる。そして、検出された光ビームを、放射光ビームと比較することによって、コントローラは、環境内の１つまたは複数の物体の少なくとも１つの態様を決定することができる。
【００８６】
［0100］  例えば、複数の光ビームがＬＩＤＡＲ装置１００の送信機によって発せられた時間と、ＬＩＤＡＲ装置１００の１つまたは複数の受信機が反射光を検出した時間とを比較することによって、ＬＩＤＡＲ装置１００と環境内の物体との間の距離を決定することができる。他の例では、形状、色、材料等などの態様もまた、放射光と検出光との間の様々な比較に基づいて決定することができる。
【００８７】
［0101］  この構成では、コントローラは、ＬＩＤＡＲ装置１００からのデータに基づいて環境の三次元（３Ｄ）表現を決定することができる。例えば、三次元表現は、ＬＩＤＡＲ装置１００からのデータに基づいて３Ｄ点群としてコントローラによって生成されてもよい。３Ｄ群の各点は、例えば、反射光パルスと関連付けられてもよい。このように、コントローラは、環境またはその一部の３Ｄ表現を（例えば、連続的にまたは時々）生成することができる。
【００８８】
［0102］  ブロック５０４において、方法５００は次に、少なくともＬＩＤＡＲ装置から受信した環境の走査に基づいて、コントローラによって乗り物を操作することを含む。
【００８９】
［0103］  例として、乗り物は自律モードで操作されてもよい。この例では、コントローラは、とりわけ障害物を回避することによって安全に乗り物を誘導する（例えば、速度、方向等を調整する）ために３Ｄ表現を利用することができる。例えば、障害物または物体は、画像処理アルゴリズムまたは他のコンピューティング方法を使用して３Ｄ表現を分析し、さまざまな障害物または物体を検出および／または識別することによって検出および／または識別することができる。別の例として、乗り物は、部分的自律モードまたは手動モードで操作されてもよい。この例では、乗り物は、乗り物内のディスプレイまたはスピーカに環境内の１つまたは複数の物体に関する情報を示させることによってなど、その存在または様々な物体までの距離、あるいは道路状況（例えば、街路灯、道路標識等）の変化について、乗り物の運転者またはオペレータに知らせることができる。他の例も可能である。
【００９０】
［0104］  次に図６は、ＬＩＤＡＲ装置２００から受信した環境６００の走査に基づく乗り物４００の操作例を示す。本開示によれば、乗り物のコントローラは、例えば道路標識６０２および乗り物６０４などの遠方の物体を検出および識別するために、ＬＩＤＡＲ装置２００の第１の受信機２１０から受信したデータを使用し得る。これに関して、コントローラは、そのデータに基づいて、道路標識６０２が、所望の目的地に到着するために乗り物４００が理想的に取るべき出口を表していると判断することができる。その判断を下すのに応答して、コントローラは次に、車線１での走行から車線２での走行に切り替えるように乗り物４００を操作することができる。
【００９１】
［0105］  実用においては、コントローラは、環境６００の３Ｄ表現内の車線表示を認識することによってこれらの車線を区別することができる。例えば、乗り物のコントローラは、車線１を車線２から分離する近くの車線表示６０６を検出および識別するために、ＬＩＤＡＲ装置２００の第２の受信機２１２から受信したデータを使用し得る。さらに、車線を変更するように乗り物を操作する前に、コントローラは、物体を検出および識別するために環境を走査してもよく、その結果、コントローラはそれらの検出／識別された物体を回避しながら車線を変更するように乗り物４００を操作するやり方で乗り物４００を操作することができる。
【００９２】
［0106］  例えば、コントローラは、近くの乗り物６０８を検出し識別するためにＬＩＤＡＲ装置２００の第２の受信機２１２から受信したデータを使用することができ、また前述のように、より遠くの乗り物６０４を検出し識別するためにＬＩＤＡＲ装置２００の第１の受信機２１０から受信したデータを使用することができる。これらの検出／識別に基づいて、コントローラは、乗り物６０４および６０８を回避しながら乗り物４００を車線１での走行から車線２での走行に切り替えるように操作するやり方で乗り物４００を操作することができる。他の説明図も可能である。
【００９３】
Ｖ．乗り物の構成例
［0107］  最後に、図７は、ある実施形態の例による乗り物７００の簡略ブロック図である。乗り物７００は乗り物４００と同様であり得、ＬＩＤＡＲ装置１００と同様のＬＩＤＡＲ装置を含み得る。さらに、乗り物７００は、方法５００などの本明細書中の機能および方法を実行するように構成され得る。図示のように、乗り物７００は、推進システム７０２、センサシステム７０４、制御システム７０６（コントローラ７０６とも呼ばれる）、周辺機器７０８、およびコンピュータシステム７１０を含む。他の実施形態では、乗り物７００はより多くの、より少ない、または異なるシステムを含み得、各システムはより多くの、より少ない、または異なる構成要素を含み得る。
【００９４】
［0108］  加えて、示されているシステムおよび構成要素は、任意の数の方法で組み合わせるまたは分割することができる。例えば、制御システム７０６およびコンピュータシステム７１０は、様々な操作に従って乗り物７００を操作する単一のシステムに組み合わせることができる。
【００９５】
［0109］  推進システム７０２は、乗り物７００に動力運動を提供するように構成することができる。図示のように、推進システム７０２は、エンジン／モータ７１８、エネルギー源７２０、トランスミッション７２２、および車輪／タイヤ７２４を含む。
【００９６】
［0110］  エンジン／モータ７１８は、内燃機関、電気モータ、蒸気機関、およびスターリングエンジンの任意の組み合わせであり得るかまたはそれらの任意の組み合わせを含み得る。他のモータおよびエンジンも同様に可能である。いくつかの実施形態では、推進システム７０２は複数の種類のエンジンおよび／またはモータを含み得る。例えば、ガソリン−電気ハイブリッド車は、ガソリンエンジンと電気モータとを含むことができる。他の例も可能である。
【００９７】
［0111］  エネルギー源７２０は、エンジン／モータ７１８に全体的にまたは部分的に動力を供給するエネルギー源であり得る。すなわち、エンジン／モータ９１８は、エネルギー源７２０を機械的エネルギーに変換するように構成され得る。エネルギー源７２０の例には、ガソリン、ディーゼル、プロパン、他の圧縮ガス系燃料、エタノール、太陽電池パネル、電池、および他の電力源が含まれる。エネルギー源７２０は、追加的または代替的に、燃料タンク、電池、コンデンサ、および／またはフライホイールの任意の組み合わせを含み得る。いくつかの実施形態では、エネルギー源７２０は、乗り物７００の他のシステムにもエネルギーを供給することができる。
【００９８】
［0112］  トランスミッション７２２は、エンジン／モータ７１８から車輪／タイヤ７２４に機械的動力を伝達するように構成することができる。このために、トランスミッション７２２は、ギアボックス、クラッチ、差動装置、駆動シャフト、および／または他の要素を含むことができる。トランスミッション７２２が駆動シャフトを含む実施形態では、駆動シャフトは、車輪／タイヤ７２４に結合されるように構成されている１つまたは複数のアクスルを含むことができる。
【００９９】
［0113］  乗り物７００の車輪／タイヤ７２４は、一輪車、二輪車／オートバイ、三輪車、または車／トラックの四輪形式を含む様々な形式で構成することができる。６つ以上の車輪を含むものなど、他の車輪／タイヤ形式も同様に可能である。いずれの場合も、車輪／タイヤ７２４は、他の車輪／タイヤ７２４に対して差動的に回転するように構成されてもよい。いくつかの実施形態では、車輪／タイヤ７２４は、トランスミッション７２２に固定的に取り付けられる少なくとも１つの車輪と、駆動面と接触する可能性のある車輪のリムに結合される少なくとも１つのタイヤとを含み得る。車輪／タイヤ７２４は、金属とゴムの任意の組み合わせ、または他の材料の組み合わせを含み得る。推進システム７０２は、追加的または代替的に、示されたもの以外の構成要素を含み得る。
【０１００】
［0114］  センサシステム７０４は、乗り物７００が配置されている環境に関する情報を感知するように構成された多数のセンサ、ならびにセンサの位置および／または向きを修正するように構成された１つまたは複数のアクチュエータ７３６を含み得る。図示のように、センサシステム７０４のセンサは、全地球測位システム（ＧＰＳ）７２６、慣性測定ユニット（ＩＭＵ）７２８、ＲＡＤＡＲユニット７３０、レーザ距離計および／またはＬＩＤＡＲユニット７３２、ならびにカメラ７３４を含む。センサシステム７０４は、例えば、乗り物７００の内部システム（例えば、Ｏ２モニタ、残量計、エンジンオイル温度等）を監視するセンサを含む追加のセンサを同様に含み得る。他のセンサも可能である。
【０１０１】
［0115］  ＧＰＳ７２６は、乗り物７００の地理的位置を推定するように構成された任意のセンサ（例えば位置センサ）であり得る。この目的のために、ＧＰＳ７２６は地球に対する乗り物７００の位置を推定するように構成されるトランシーバを含み得る。ＧＰＳ７２６は他の形態をとってもよい。
【０１０２】
［0116］  ＩＭＵ７２８は、慣性加速度に基づいて乗り物７００の位置および向きの変化を感知するように構成されたセンサの任意の組み合わせであり得る。いくつかの実施形態では、センサの組み合わせは、例えば、加速度計およびジャイロスコープを含み得る。他のセンサの組み合わせも可能である。
【０１０３】
［0117］  ＲＡＤＡＲユニット７３０は、無線信号を使用して乗り物７００が配置されている環境内の物体を感知するように構成された任意のセンサであり得る。いくつかの実施形態では、物体を感知することに加えて、ＲＡＤＡＲユニット７３０は、物体の速度および／または進行方向を感知するようにさらに構成されてもよい。
【０１０４】
［0118］  同様に、レーザ距離計またはＬＩＤＡＲユニット７３２は、レーザを使用して乗り物７００が配置されている環境内の物体を感知するように構成された任意のセンサであり得る。例えば、ＬＩＤＡＲユニット７３２は、１つまたは複数のＬＩＤＡＲ装置を含んでもよく、そのうちの少なくともいくつかは本明細書に開示されたＬＩＤＡＲ装置１００の形態をとってもよい。
【０１０５】
［0119］  カメラ７３４は、乗り物７００が位置する環境の画像を取り込むように構成された任意のカメラ（例えば、スチルカメラ、ビデオカメラ等）でよい。この目的のために、カメラは上記のいずれの形態をとってもよい。センサシステム７０４は、追加的または代替的に、示されたもの以外の構成要素を含み得る。
【０１０６】
［0120］  制御システム７０６は、乗り物７００および／またはその構成要素の動作を制御するように構成することができる。この目的のために、制御システム７０６は、操舵ユニット７３８、スロットル７４０、制動ユニット７４２、センサ融合アルゴリズム７４４、コンピュータビジョンシステム７４６、ナビゲーションまたは経路設定システム７４８、および障害物回避システム７５０を含み得る。
【０１０７】
［0121］  操舵ユニット７３８は、乗り物７００の進行方向を調整するように構成された機構の任意の組み合わせとすることができる。スロットル７４０は、エンジン／モータ７１８の動作速度、ひいては乗り物７００の速度を制御するように構成された機構の任意の組み合わせとすることができる。制動ユニット７４２は乗り物７００を減速するように構成された機構の任意の組み合わせとすることができる。例えば、制動ユニット７４２は、車輪／タイヤ７２４の速度を落とすために摩擦を使用することができる。別の例として、制動ユニット７４２は、車輪／タイヤ７２４の運動エネルギーを電流に変換することができる。制動ユニット７４２は、他の形態をとってもよい。
【０１０８】
［0122］  センサ融合アルゴリズム７４４は、センサシステム７０４からのデータを入力として受け取るように構成されたアルゴリズム（またはアルゴリズムを格納するコンピュータプログラム製品）とすることができる。データは、例えば、センサシステム７０４のセンサで感知された情報を表すデータを含み得る。センサ融合アルゴリズム７４４は、例えば、カルマンフィルタ、ベイジアンネットワーク、本明細書の方法の機能のいくつかのためのアルゴリズム、または任意の他のアルゴリズムを含み得る。センサ融合アルゴリズム７４４はさらに、例えば、乗り物７００が配置されている環境内の個々の物体および／または特徴の評価、特定の状況の評価、および／または特定の状況に基づいて考えられる衝突の評価を含む、センサシステム７０４からのデータに基づいて様々な査定を提供するように構成され得る。他の査定も可能である。
【０１０９】
［0123］  コンピュータビジョンシステム７４６は、例えば交通信号や障害物を含む、乗り物７００が配置されている環境内の物体および／または特徴を識別するために、カメラ７３４によってキャプチャされた画像を処理および分析するように構成される任意のシステムであり得る。この目的のために、コンピュータビジョンシステム７４６は、物体認識アルゴリズム、ストラクチャー・フロム・モーション（ＳＦＭ）アルゴリズム、ビデオトラッキング、または他のコンピュータビジョン技術を使用することができる。いくつかの実施形態では、コンピュータビジョンシステム７４６はさらに、環境のマッピング、物体の追跡、物体の速度の推定等を行うように構成することができる。
【０１１０】
［0124］  ナビゲーションおよび経路設定システム７４８は、乗り物７００の運転経路を決定するように構成された任意のシステムであり得る。ナビゲーションおよび経路設定システム７４８は、乗り物７００の動作中に運転経路を動的に更新するようにさらに構成され得る。いくつかの実施形態では、ナビゲーションおよび経路設定システム７４８は、乗り物７００の運転経路を決定するために、センサ融合アルゴリズム７４４、ＧＰＳ７２６、ＬＩＤＡＲユニット７３２、および１つまたは複数の所定のマップからのデータを組み込むように構成され得る。
【０１１１】
［0125］  障害物回避システム７５０は、乗り物７００が配置されている環境内の障害物を識別、評価、および回避または別の方法で上手く通り抜けるように構成された任意のシステムとすることができる。制御システム７０６は、追加的または代替的に、示されたもの以外の構成要素を含み得る。
【０１１２】
［0126］  周辺機器７０８は、乗り物７００が外部センサ、他の乗り物、外部コンピューティング装置、および／またはユーザと対話することを可能にするように構成され得る。この目的のために、周辺機器７０８は、例えば、無線通信システム７５２、タッチスクリーン７５４、マイクロフォン７５６、および／またはスピーカ７５８を含み得る。
【０１１３】
［0127］  無線通信システム７５２は、直接または通信ネットワークを介して、１つまたは複数の他の乗り物、センサ、または他のエンティティに無線式に結合するように構成された任意のシステムであり得る。この目的のために、無線通信システム７５２は、直接または通信ネットワークを介して、他の乗り物、センサ、サーバ、または他のエンティティと通信するためのアンテナおよびチップセットを含み得る。一般に、チップセットまたは無線通信システム７５２は、とりわけ、ブルートゥース、ＩＥＥＥ８０２．１１（いずれかのＩＥＥＥ８０２．１１改訂を含む）に記載の通信プロトコル、セルラー技術（ＧＳＭ、ＣＤＭＡ、ＵＭＴＳ、ＥＶ-ＤＯ、ＷｉＭＡＸ、またはＬＴＥなど）、Ｚｉｇｂｅｅ、専用短距離通信（ＤＳＲＣ）、および無線周波数識別（ＲＦＩＤ）通信などの無線通信（たとえば、プロトコル）の１つまたは複数のタイプに従って通信するように配置され得る。無線通信システム７５２は他の形態も取り得る。
【０１１４】
［0128］  タッチスクリーン７５４は、乗り物７００にコマンドを入力するためにユーザによって使用され得る。この目的のために、タッチスクリーン７５４は、とりわけ、静電容量感知、抵抗感知、または表面弾性波プロセスを介してユーザの指の位置および動きの少なくとも一方を感知するように構成され得る。タッチスクリーン７５４は、タッチスクリーン表面に対して平行または平面方向、タッチスクリーン表面に垂直な方向、またはその両方の指の動きを感知することが可能であり得、またタッチスクリーン表面に加えられる圧力のレベルを感知することも可能であり得る。タッチスクリーン７５４は、１つまたは複数の半透明または透明絶縁層と、１つまたは複数の半透明または透明導電層とから形成されてもよい。タッチスクリーン７５４は他の形態も取り得る。
【０１１５】
［0129］  マイクロフォン７５６は、乗り物７００のユーザから音声（例えば、ボイスコマンドまたは他の音声入力）を受信するように構成されてもよい。同様に、スピーカ７５８は、乗り物７００のユーザに音声を出力するように構成されてもよい。周辺機器７０８は、追加的にまたは代替的に、示されたもの以外の構成要素を含んでもよい。
【０１１６】
［0130］  コンピュータシステム７１０は、推進システム７０２、センサシステム７０４、制御システム７０６、および周辺機器７０８のうちの１つまたは複数にデータを送信し、からデータを受信し、と対話し、および／または、を制御するように構成され得る。このために、コンピュータシステム７１０は、システムバス、ネットワーク、および／または他の接続機構（図示せず）によって推進システム７０２、センサシステム７０４、制御システム７０６、および周辺機器７０８のうちの１つまたは複数に通信可能にリンクされ得る。
【０１１７】
［0131］  一例では、コンピュータシステム７１０は、燃料効率を改善するためにトランスミッション７２２の動作を制御するように構成されてもよい。別の例として、コンピュータシステム７１０は、カメラ７３４に環境の画像をキャプチャさせるように構成されてもよい。さらに別の例として、コンピュータシステム７１０は、センサ融合アルゴリズム７４４に対応する命令を記憶し実行するように構成されてもよい。さらに別の例として、コンピュータシステム７１０は、ＬＩＤＡＲユニット７３２を使用して乗り物７００の周囲の環境の３Ｄ表現を決定するための命令を記憶し実行するように構成されてもよい。他の例も可能である。したがって、コンピュータシステム７１０は、ＬＩＤＡＲユニット７３２のコントローラとして機能し得る。
【０１１８】
［0132］  示されるように、コンピュータシステム７１０は、プロセッサ７１２およびデータ記憶装置７１４を含む。プロセッサ７１２は、１つまたは複数の汎用プロセッサおよび／または１つまたは複数の専用プロセッサを含むことができる。プロセッサ７１２が２つ以上のプロセッサを含む限り、そのようなプロセッサは別々にまたは組み合わせて動作することができる。データ記憶装置７１４は、光学式、磁気式、および／または有機式記憶装置などの１つまたは複数の揮発性および／または１つまたは複数の不揮発性記憶構成要素を含み得、データ記憶装置７１４はプロセッサ７１２と全体的にまたは部分的に一体化されてもよい。
【０１１９】
［0133］  いくつかの実施形態では、データ記憶装置７１４は、様々な乗り物機能（例えば方法５００等）を実行するためにプロセッサ７１２によって実行可能な命令２１６（例えば、プログラム論理）を含み得る。データ記憶装置７１４は、推進システム７０２、センサシステム７０４、制御システム７０６、および／または周辺機器７０８のうちの１つまたは複数にデータを送信し、からデータを受信し、と対話し、および／または、を制御するための命令を含む追加の命令も含み得る。コンピュータシステム７１０は、追加的または代替的に、示されたもの以外の構成要素を含み得る。
【０１２０】
［0134］  示されるように、乗り物７００は電源７６０をさらに含み、電源７６０は、乗り物７００の構成要素の一部または全部に電力を供給するように構成することができる。この目的のために、電源７６０は、例えば、充電式リチウムイオン電池または鉛蓄電池を含むことができる。いくつかの実施形態では、電池の１つまたは複数のバンクは電力を供給するように構成されることができる。他の電源材料および構成も同様に可能である。いくつかの実施形態では、電源７６０およびエネルギー源７２０は、いくつかの全電気自動車のように、１つの構成要素として一緒に実装され得る。
【０１２１】
［0135］  いくつかの実施形態では、乗り物７００は、示されているものに加えてまたはその代わりに１つまたは複数の要素を含むことができる。例えば、乗り物７００は、１つまたは複数の追加のインターフェースおよび／または電源を含み得る。他の追加の構成要素も同様に可能である。そのような実施形態では、データ記憶装置７１４は、追加の構成要素を制御および／またはそれと通信するためにプロセッサ７１２によって実行可能な命令をさらに含み得る。
【０１２２】
［0136］  さらにまた、構成要素およびシステムのそれぞれは乗り物７００に一体化されるように示されているが、いくつかの実施形態において、１つまたは複数の構成要素またはシステムは、有線または無線接続を用いて乗り物７００に取り外し可能に取り付けられるかまたは別の方法で（機械的または電気的に）接続することができる。乗り物７００は他の形態をとってもよい。
【０１２３】
ＶＩ．結論
［0137］  図に示される特定の構成は限定として見るべきではない。他の実践形態が与えられた図に示される各要素よりも多いまたは少ない要素を含んでもよいことを理解すべきである。さらに、示される要素のいくつかは組み合わせるまたは省略することができる。なおもさらに、例示的な実践形態は、図に示されない要素を含んでもよい。
【０１２４】
［0138］  さらに、本明細書中、様々な態様および実践形態が開示されているが、他の態様および実践形態が当業者には明らかであろう。本明細書に開示された様々な態様および実践形態は例示を目的としており、限定を意図するものではなく、その真の範囲および趣旨は以下の特許請求の範囲によって示される。本明細書に示される主題の趣旨および範囲から逸脱することなく、他の実践形態が使用されてもよく、また他の変更がなされてもよい。一般的に本明細書に記載されまた図に示されるような本開示の態様は、多様な異なる構成で配置、置換え、組合せ、分離および設計可能であり、その全ては本明細書中で考えられていることは容易に理解されよう。
【図１】
2019536008.tif 000003
【図２Ａ】
2019536008.tif 000004
【図２Ｂ】
2019536008.tif 000005
【図２Ｃ】
2019536008.tif 000006
【図３Ａ】
2019536008.tif 000007
【図３Ｂ】
2019536008.tif 000008
【図３Ｃ】
2019536008.tif 000009
【図４Ａ】
2019536008.tif 000010
【図４Ｂ】
2019536008.tif 000011
【図４Ｃ】
2019536008.tif 000012
【図４Ｄ】
2019536008.tif 000013
【図４Ｅ】
2019536008.tif 000014
【図５】
2019536008.tif 000015
【図６】
2019536008.tif 000016
【図７】
2019536008.tif 000017
【国際調査報告】
2019536008.tif 000018
2019536008.tif 000019